(57)【要約】【課題】アンテナと基板上の導体とを電気絶縁した状態で電磁気的に結合された小型の無線制御装置を提供する。【解決手段】本無線制御装置は、可動スクリーンの駆動用のモータを制御するために使用される。本装置は、モータ制御用のプリント基板（１４０）と、モータ及びプリント基板用の電力供給導体（１３０Ｂ）と、プリント基板に接続されるとともにその導体の少なくとも一つ（１３０Ｂ）に電気絶縁された状態で電磁気的に結合されるアンテナ（１１０）とを有している。本装置は、プリント基板（１４０）とアンテナ（１１０）と導体（１３０Ｂ）とを収容するボックス（１５０）と、アンテナ（１１０）をボックス（１５０）に位置決めする手段とを有している。そして、本装置は、プリント基板（１４０）の一つの面（１４６）とアンテナが結合される導体（１３０Ｂ）との間に位置決めされる。【選択図】図５
2008202397.tif 000002
【特許請求の範囲】
【請求項１】
可動スクリーン（２）を駆動するためのモータ（１０２）を無線制御するための装置（２００）であって、
モータを制御するためのプリント基板（１４０）と、
モータ及びプリント基板のための電力供給導体（１３０Ａ、１３０Ｂ、１３０Ｃ）と、
プリント基板に接続されるとともに、前記導体の少なくとも一つ（１３０Ｂ）に電気絶縁の状態で電磁気的に結合されたアンテナ（１１０）と、
プリント基板（１４０）とアンテナ（１１０）と導体（１３０Ａ、１３０Ｂ、１３０Ｃ）とが収容されているボックス（１５０）と、
前記ボックス内において、前記アンテナをプリント基板の一つの面と前記アンテナが結合された導体（１３０Ｂ）との間に位置決めする手段と、
を有する装置。
【請求項２】
前記アンテナがモノポールアンテナ（１１０）であることを特徴とする請求項１に記載の装置。
【請求項３】
前記アンテナ及び／又はアンテナが結合される前記導体が電磁気的なカップリングの領域において導体トラック（１１０、１３０Ｂ）の形体であることを特徴とする請求項１又は２に記載の装置。
【請求項４】
アンテナを位置決めする手段は、支持材（１２０）を有しており、この支持材はアンテナ（１１０）を支持するとともに、アンテナがプリント基板（１４０）に接続されるように、ボックス（１５０）内に作られる場所（１５４）に配置されるようになっていることを特徴とする請求項１から３のいずれかに記載の装置。
【請求項５】
アンテナ（１１０）を支持する支持材（１２０）は、アンテナ（１１０）の長さと平行な方向（Ｄ2）にしたがって、ボックス（１５０）に対して移動可能であることを特徴とする請求項４に記載の装置。
【請求項６】
アンテナ（１１０）の長さに垂直にとられた支持体（１２０）の幅（Ｌ120）は、支持体を受け入れるボックス（１５０）に作られる場所（１５４）の二つの端（１５２、１５３）を隔てている距離（Ｌ154）よりもわずかに小さいことを特徴とする請求項４又は５に記載の装置。
【請求項７】
装置は、少なくとも一つの弾性要素（１２１）を含んでおり、この弾性要素は、プリント基板の面（１４６）を押圧するとともに、アンテナ（１１０）を支持する支持体（１２０）に力（Ｆ）を及ぼすことが可能になっており、この力は、アンテナに電磁気的に結合された導体（１３０Ｂ）に向けられており、この力は、アンテナ（１１０）及び導体（１３０Ｂ）をより近づけるように作用することを特徴とする請求項１から６のいずれかに記載の装置。
【請求項８】
絶縁材料のシート（１７０）は、導体（１３０Ａ、１３０Ｂ、１３０Ｃ）とアンテナ（１１０）との間に配置されていることを特徴とする請求項１から７のいずれかに記載の装置。
【請求項９】
クロージングスクリーン（２）、日よけスクリーン或いはプロジェクションスクリーンを操作するための電動アクチュエータ（１００）であって、
前記スクリーンを動作させるための部材（１）を駆動させるためのモータ（１０２）を有し、
請求項１から８のいずれかに記載された無線制御装置（２００）を備えていることを特徴とする電動アクチュエータ。
【請求項１０】
少なくとも一つの電動モータ（１０２）を有するホームオートメーション装置であって、
請求項１から８のいずれかに記載された無線制御装置（２００）を有していることを特徴とするホームオートメーション装置。
【発明の詳細な説明】
【技術分野】
【０００１】
本発明は、ローラーブラインド或いはオーニングのようなホームオートメーション装置で使用される可動スクリーンを駆動するためのモータを無線制御するための装置に関する。本発明は、またクロージングスクリーン、日よけスクリーン或いはプロジェクションスクリーンを操作するための電動アクチュエータ、及びそのような装置を含むホームオートメーション装置にも関係している。
【背景技術】
【０００２】
家庭或いは建物の分野では概して、低電圧のネットワーク或いは配電網（grid）によって電気的に供給されるアクチュエータを遠隔制御することがますます一般的になっている。最も適切な方法の一つが無線を使用することである。
【０００３】
フランス国特許出願公開第２８２５４９８号（ＦＲ−Ａ−２８２５４９８）では、無線周波数によって制御されるとともに、電気絶縁した状態で電磁気的に少なくとも一つの導体に結合されたアンテナを含んでいる装置が記載されている。この電気絶縁した状態での電磁気的結合を得るために、導体の絶縁体が使用されており、アンテナが導体に隣接して配置されている。提案されていることは、導体とアンテナのよりが同一の絶縁シースを通り抜けることである。このシースは熱収縮性があってもよい。この作業は工業的に実施することは容易ではない。剛体であり得る導体及びアンテナは、無線プリント基板に接続されて同一のシースを通り抜けなければならない。単純なシースが使用される場合は、カップリングは最適ではないし、組み立てに対する自由度がほとんどなく、シースへの挿入の作業が必要となる。シースに熱収縮性がある場合は、カップリングは改善されるが、シースを加熱する付加的な作業をすること、及び、導体及びアンテナを容易にプリント基板に接続できるように配置することが必要とされる。変形として、カップリングは直接プリント基板になされる。導体はプリント基板トラックによって組み込まれる一つの部分を含んでおり、このプリント基板トラックはアンテナを形成する別のトラックと平行に延びている。そして、電気絶縁は二つのトラック間の隔たりによって得られる。この解決法はプリント基板上に相当多くのスペースを必要とするものであり、同一サイズのプリント基板に対して、電子機能を付加するための選択肢を制限する。
【特許文献１】フランス国特許出願公開第２８２５４９８号明細書
【発明の開示】
【発明が解決しようとする課題】
【０００４】
これらは不利点であり、本発明が特に改善を意図していることである。それは、アンテナと少なくとも一つの導体との間の良好な電磁結合を確保することを可能とする新たな無線制御装置を提供することによってなされている。
【課題を解決するための手段】
【０００５】
この目的のために、本発明は可動スクリーンを駆動するためのモータの無線制御装置に関係している。そしてこの装置は、モータを制御するためのプリント基板と、モータ及びプリント基板のための電源供給導体と、アンテナとを有している。このアンテナは、プリント基板に接続されるとともに、電気絶縁した状態で、少なくとも一つの導体に電磁気的に結合されている。この装置が特徴としていることは、
−プリント基板とアンテナと導体とが収容されるボックスと、
−このボックスにおいて、アンテナを、プリント基板の一つの面とアンテナが結合される導体との間に位置決めする手段と、
をさらに有していることである。
【０００６】
プリント基板は薄い厚みのプレートの形体であり、このプレートに電子部品が搭載される。プリント基板の“面”は、本発明が持つ意味においては、部品が搭載されている面である上側の面、或いは下側の面を指定しており、その幅がプレートの厚さであるプレートの四つのエッジを指定していない。アンテナは、プリント基板の下側の面とアンテナが結合する導体との間に配置されるのが好ましい。
【０００７】
アンテナをボックス内部に配置することによって、関連した導体との良好な電磁気的結合が可能となる。そして、アンテナと導体との間に電気絶縁が与えられた状態で、アンテナをこの導体とともに配置することを可能としている。アンテナと導体とをプリント基板から分離するということは、スペースが無線機能のためにプリント基板を占有しないということを意味している。従って、プリント基板の寸法は最適化が可能となる。
【０００８】
モノポールアンテナがこの種類の装置には特に適しているが、それは、装置の占有面積を制限することが可能だからである。
【０００９】
アンテナ及び／又は導体は、カップリング領域でトラックによって組み込むことが可能である。“トラック”は、アンテナと導体とが結合する距離と少なくとも等しい長さ、つまり、好ましくは所望の無線周波数に対応した波長の四分の一近くの長さの金属片を意味すると理解される。この金属片の幅は、その厚みの少なくとも五倍以上である。アンテナ及び導体がカップリング領域でトラックによって形成される場合、これらのトラックの幅は、良好な電磁気的なカップリングを確保するためにはほぼ同一にすることが望ましい。
【００１０】
カップリングは、アンテナと導体との部品間の距離を最適化するような方法で、アンテナを導体方向に保持することを意図するカップリング手段によっても改善が可能である。その最小間隔は絶縁体層の厚みである。これらの手段によって、より良い電磁気的なカップリングが確保できる。これらのカップリング手段は、少なくとも一つの弾性材を有していることが好ましい。この弾性材は、プリント基板の面を押圧して、アンテナを有する支持材に力を及ぼすことができるものである。そしてこの力は、このアンテナが結合されている導体の方向に向けられる。これによって、よりアンテナに近くなるような力を及ぼすことが可能となる。
【００１１】
配置手段は、独立したアンテナの支持材であることが可能であり、その支持材にアンテナは収容される。このサブアセンブリは独立したものであるので、装置のアンテナの長さを変更すること及び所望の無線周波数に適合させることは容易である。例として、４３３MHzの周波数に対しては、波長の四分の一に対応するアンテナの長さ、すなわち１７ｃｍが使用される。８６８MHｚに対しては、アンテナは８ｃｍになる。個別のアンテナ支持材がそれぞれのアンテナ長に対して適合され得る。つまり、個別のアンテナ支持材によって、異なる長さのアンテナを収容することが可能となる。
【００１２】
アンテナ支持材は、プリント基板及び導体を支持するボックスに対して位置決めされ得る、つまり、ボックスに対して二つの部分に配置され得る。プリント基板は、第一の部分に収容されるが、他方、第二の部分は結合された導体を支持する。これらの二つの部分は、互いに対して配置される。この実施形態では、アンテナ支持材は、第一の部分に対して案内され、従ってプリント基板に対して配置される。或いは、アンテナ支持材は、第二の部分に対して、この場合は結合された導体に対して配置される。これらの変更例は、アセンブリに対して多少の柔軟性をもたらす。例として、アンテナ支持材が第一の部分に接続される場合、アンテナは、特にプリント基板に接続された後に装置に組み込まれる。第二の場合では、アンテナ及び導体の位置決めが直接的であり、カップリングはより良好となり得る。
【００１３】
アンテナをプリント基板上に取り付けることを容易にするために、アンテナ支持材は、ボックス内をアンテナの長さに平行な方向に移動可能にすることができる。アンテナの一端はピンを有しており、このピンは穴を介してプリント基板を貫通する意図のものである。そして、この穴はこの目的のために用意される。アンテナを電気的にプリント基板に接続することを可能にするこのピンは、プリント基板に半田付けされる。したがって、ピンは、基板を損傷しないように、組み立て時点に、プリント基板の穴に対して十分な位置決めがなされなければならない。この位置決めは、プリント基板及びアンテナ支持材を位置決めするボックスによって確保される。上述したアンテナ支持材の自由度によって、穴の軸に対するピンの軸の位置合わせを誤らせやすくする、部品の寸法上の許容誤差を吸収することが可能となる。アンテナの長さと垂直方向に、アンテナ支持材とボックスとの間のわずかな遊びがピンに与えられ、その結果、組み立ての同様な自由度が得られる。この遊びが大きすぎる場合は、アンテナ及び導体の間の電気的カップリングの有効性が影響を受け得る。特に、アンテナの長さと垂直に取られた支持材の幅は、この支持材を支持するためにボックス内に作られる場所の二つの端を隔てている間隔よりもわずかに小さくなるように設定することが可能である。
【００１４】
アンテナ支持材がアンテナの長さと平行な方向に可動性があることによって、部品をプリント基板上に配置するための自由度をももたらしている。ピンが貫通する穴は、従って、装置を再設計することをしないで、プリント基板上をシフトさせることができる。穴がアンテナの長さと平行な方向にシフトされる場合は、組み立て時にアンテナ支持材を単にシフトさせるだけで十分である。別方向のシフトの場合は、アンテナ支持材に対するアンテナのピンの場所を変更しなければならない。この変更は、さらに複雑になる可能性がある。
【００１５】
本発明は、クロージングスクリーン、日よけスクリーン或いはプロジェクションスクリーンを操作するための電動アクチュエータにも関係する。そして、このアクチュエータは、スクリーンの動作用の部品を駆動させるためのモータと、上述した無線制御デバイスとを有している。
【００１６】
このようなアクチュエータは、プリント基板との双方向の無線信号の伝達に関する限り、従来技術のアクチュエータに比べて、より信頼性及び有効性がある。
【００１７】
最後に、本発明は、上述したように少なくとも一つの電動モータ及び制御装置を含んでいるホームオートメーション装置、つまり、クロージング、日よけ或いはビデオスクリーン操作のための装置に関する。
【発明を実施するための最良の形態】
【００１８】
本発明は、以下の記述を読むことでより理解が深まるであろう。そして、本記載は単なる例として与えられたものであり、添付の図を参照している。
図１は、チューブ状のアクチュエータ１００を示している。このアクチュエータはローラーチューブ１を駆動する意図のものであり、ローラーチューブには開口部Ｏを閉じるための布のデッキ２が多かれ少なかれ巻かれる。チューブ１は、開口部の高い部分に水平に配置された回転軸Ｘ−Ｘの周りに回転させるためにアクチュエータ１００によって駆動される。開口部Ｏは、例えば、建物の壁に作られる開口である。アクチュエータ１００、チューブ１及び布のデッキ２は電動のローラーブラインドを形成する。
【００１９】
アクチュエータ１００は、円筒状チューブ１０１を有している。この円筒状チューブには、モータ、ブレーキ及び減速ギアを有するギア付きのモータ１０２が取り付けられているとともに、出力シャフト１０３を備えている。この出力シャフトは、チューブ１０１の一端１０１Ａで延びており、チューブ１の回転に不可欠のホイールリムを駆動する。
【００２０】
ローラーチューブ１は、二つの回転リンクによって、軸Ｘ−Ｘ及び固定チューブ１０１の周りを回転する。チューブ１０１の外側周囲に搭載されたベアリングリム４が第一の軸の連結を提供する。第二の軸の連結は、チューブ１の他方の端にあり、図示されてはいない。
【００２１】
アクチュエータ１００は、固定部１０４も有している。この固定部は、固定シャフトからチューブの反対の端で突き出ており、フレーム５上でアクチュエータ１００を固定できるようになっている。この固定材１０４は、チューブ１０１をふさぐことも目的にしており、チューブ１０１ないに収容される無線制御装置２００を支持している。三つの導線を有する主電源供給ケーブル１０５は、固定部１０４を貫通して、ケーブル１０５の端で固定されているコネクタ１０６を介し、装置２００の一部であるボックス１５０と一体になっているコネクタ１３２で制御装置２００に接続される。ボックス１５０の他方の端に、第二のコネクタ１６２があり、このコネクタにもう一方のコネクタ１０７が、ギア付きモータ１０２の電源供給ケーブル１０８の端で、第二のコネクタ１６２に接続されている。
【００２２】
ボックス１５０は、ハウジングを形成しており、ハウジングが囲む部品を機械的及び電気的に保護している。このボックスは、アクチュエータ１００が取り付けられる時に、チューブ１０１に設置される。もし、アクチュエータがチューブ状の形体でない場合は、ボックス１５０は、取り付けの別の部分で設置され得る。この場合でもボックスが囲う部品を保護する。
【００２３】
無線制御装置２００は、無線によって送信される信号Ｓ1を受信することができる。図１で波形矢印で示されているこの信号Ｓ1は、アンテナ５１を備えた可動用送信機によってもたらされる。この信号は、ギア付きモータを操作するためのコマンドを送信する。これらのコマンドは、その後装置２００によって解読される。そして、チューブ１の所望の回転方向の作用を示す極性をともなって、ケーブル１０８によって、ギア付きモータ１０２に電源を供給し或いは供給しない。
【００２４】
装置２００は、ギア付きモータ１０２の作用についての情報を含んだ信号Ｓ2を送信することもできる。送信先は、送信機５０或いはコントロールセンタであり、これも無線によって送信される。
【００２５】
送信機５０からもたらされるとともに信号Ｓ1を形成している無線を受信するために、及び信号１３０Ｂを形成する無線を送信するために、装置２００は、モノポールアンテナ１１０を有している。このモノポールアンテナは、プリント基板１４０に結合されるとともに、ボックス１５０内でコネクタ１３２と１６２との間で延びる三つの電源供給導体１３０Ａ、１３０Ｂ及び１３０Ｃの一つに電磁気的に結合される。示される例では、アンテナ１１０は、電気絶縁を伴って、導体１３０Ｂに結合される。言い換えると、アンテナ１１０及び導体１３０Ｂは、電気的には互いに絶縁されているにもかかわらず、基板１４０が使用する無線周波数において、電磁気的なレベルで、一つのアンテナと同様に共に機能するものである。このように、アンテナ１１０が送信或いは受信する無線は、部分的には直接空中を介して、そして部分的には導体１３０Ｂとの結合を介して、送信される。コネクタ１０６及び１３２を介して導体１３０Ｂに接続されるケーブル１０５の導線が、図１の最も左の波形矢印で示された無線信号Ｓ1及びＳ2の送信／受信に関与し、そして、アクチュエータがアンテナ１１０による無線信号Ｓ1及びＳ2の送信／受信を妨げる金属製の構造体に収容された場合にはなおさらと考えられる。しかしながら、導体１３０Ｂとアンテナ１１０との間の電気絶縁によって、主電源電圧はこのアンテナには伝えられない。
【００２６】
遠隔制御機器５０によって送信された制御コマンドが受信された場合、信号Ｓ1は、プリント基板１４０の電子機器によって処理される。その後、電力は、その受信コマンドに応じてギア付きモータに供給される。
【００２７】
以下の要素が、ボックス１５０に配置される。
−電力供給導体１３０Ａ、１３０Ｂ及び１３０Ｃ。これらの導体は、コネクタ１３２に接続されるとともに、ピン１３１Ａ、１３１Ｂ及び１３１Ｃを介してプリント基板１４０に接続される。
−アンテナ支持体１２０。この支持体は、アンテナ１１０を支持し、ピン１１１を介してプリント基板１４０に接続される。
−プリント基板１４０。この基板は、アンテナ１１０が受信するＳ1信号及びこのアンテナが送信するＳ2信号のような信号を処理することから“無線周波数”と呼ばれる。
−プラグ１６０Ａ、１６０Ｂ及び１６０Ｃ。これらのプラグは、コネクタ１６２の一部であって、ギア付きモータ１０２に電源を供給する目的であるとともに、ピン１６１Ａ、１６１Ｂ及び１６１Ｃを介してプリント基板１４０に接続される。
【００２８】
これら全ての要素はボックス１５０内に配置されることから、それらは互いに対して正確に配置される。特に、アンテナ支持体１２０と一体であるアンテナ１１０は、これらの要素間で良好な電磁気的なカップリングを確保するために、導体１３０Ｂの近傍にある状態で、ボックス１５０内に配置される。
【００２９】
ピン１１１、１３１Ａ、１３１Ｂ、１３１Ｃ、１６１Ａ、１６１Ｂ及び１６１Ｃは、同一の照合システムを使ってプリント基板１４０と正しく接続される。そして、ボックス１５０となる。
【００３０】
しかしながら、組み立てをより簡単にするためには、これらの部品間にわずかの遊びが必要である。
【００３１】
チューブ状アクチュエータ１００が機能するとき、ギア付きモータ１０２はシャフト１０３を回転駆動させる。それによって、シャフト１０３は、ホイールリム３を介してチューブ１を回転駆動させる。
【００３２】
例えば、アクチュエータ１００がローラーブラインドケースに取り付けられた場合、シャフト１０３の回転駆動によって、開口部Ｏが開かれ及び閉じられる。
【００３３】
図２、３、４及び５では、もっと詳細に制御装置２００の構造が示されている。
【００３４】
電源供給ケーブルの三つの導線、つまり二つの相導体及び一つの中性線が、導体１３０Ａ、１３０Ｂ及び１３０Ｃを形成するトラック上で接続されるとともに、ボックス１５０に収容される。これらのトラックは金属片であり、その幅は厚さに比べて少なくとも五倍よりも大きい。これらのトラックの長さは、所望の周波数の波長の少なくとも四分の一に対応するように寸法設計がなされる。これらのトラック１３０Ａ、１３０Ｂ及び１３０Ｃは、ピン１３１Ａ、１３１Ｂ及び１３１Ｃを介して、プリント基板１４０に接続される。プリント基板１４０は、このようにして、主電力を供給される。
【００３５】
受信された無線信号Ｓ1により、ギア付きモータ１０２に供給することが望まれる電力に対応して、基板１４０は出力コネクタ１６２のプラグ１６０Ａ、１６０Ｂ及び１６０Ｃに電力を供給する。相導体及び中性線は、このように、モータを一方向に回転させるために、モータのワインディングターミナルに接続される。反対方向の回転が望まれる場合は、それらは、もう一方のワインディングターミナルに接続される。例えば、トラック１３０Ｂは、プリント基板１４０とピン１３１Ｂと１６１Ｂとを介して、プラグ１６０Ｂに接続され得る。別のコマンドが送信された場合は、このトラック１３０Ｂは、例えば、ピン１３１Ａを介してプラグ１６０Ａに接続され得る。変形として、トラック１３０Ａはプラグ１６０Ａに接続され得る一方で、トラック１３０Ｂは接続を断たれる。これらの接続は、例えば、プリント基板１４０上に配置されたリレー１４１或いは１４２によって実施される。
【００３６】
導体トラック１３０Ａ、１３０Ｂ及び１３０Ｃを、アンテナ１１０及びプリント基板１４０から絶縁するために、絶縁物質１７０のインターリーブシート、例えば“マイラー（Mylar）”シート（マイラーは登録商標）が、これらのトラックとこのアンテナとの間に配置される。
【００３７】
アンテナ１１０は、六つの端を有する二つの十字形の支持体１２０に適合する。アンテナ１１０はトラックによって形成され、その断面はアンテナが連結されるトラック１３０Ｂの断面とほぼ等しい。アンテナの長さは、無線通信のために装置２００によって使用される周波数の波長の四分の一に対応している。この長さのほとんど全体は、アンテナ支持体１２０に沿って延びている。アンテナ１１０は、凹部１２４に設置される。この凹部１２４は、二つの十字をつなぐ中央のバー上及びこの中央のバーを長くしている二つのブランチ１２５及び１２６上で延びている。アンテナ１１０は、アンテナ支持体１２０の下側の面１２０Ａに対して、わずかに埋まっている。アンテナ１１０は、一方の端で、アンテナ支持体１２０を貫通して、ピン１１１で終わっている。もう一方の端では、アンテナ１１０は折り畳まれる。そして、アンテナ１１０は、ピンと張ってアンテナ支持体１２０に埋まった状態で保持するために、支持体１２０の凹部１２０Ｂに挿入される。
【００３８】
一旦アンテナ支持体１２０がボックス１５０に組み込まれると、アンテナ支持体は絶縁インターリビング１７０上をＤ1の方向に加圧する。アンテナ支持体は、アンテナの長さとほぼ平行な方向Ｄ2の方向に移動可能である。前記二つの方向に垂直なＤ3の方向では、アンテナ支持体１２０は、ボックス１５０の二つの面１５２及び１５３上を加圧するようになっている。実際、アンテナ支持体１２０の幅Ｌ120は、横方向のブランチの二つの端の面１２２による一つの側と、もう一方の横方向のブランチの端の面１２３によるもう一方の側とによって制限されている。これらの面１２２及び１２３は、二つの十字の反対側の端に対応している。
【００３９】
アンテナ支持体１２０がボックス１５０に取り付けられると、アンテナ支持体は、面１５２及び１５３との間の距離と等しい幅Ｌ154の場所１５４に収容される。支持体１２０の幅Ｌ120は幅Ｌ154に比べてわずかに小さいため、アンテナ支持体は方向Ｄ3にはほとんど動き得ない。面１２２は面１５２で終端となり、そして面１２３は面１５３で終端となる。
【００４０】
アンテナは、アンテナ支持体に対して中心にある。つまり、幅Ｌ120に対して中心にある。一方、アンテナ１１０につながれるトラック１３０Ｂは、幅Ｌ154に対して中心にある。このように、構成上、アンテナ及びトラック１３０Ｂは上下に位置しており、良好な電磁気的カップリングを得るための理想的な位置である。
【００４１】
アンテナ１１０及びトラック１３０は、上述した幅に対して、正確に中央にある必要はない。実際、これらの二つの要素は、面１２２、１２３、１５２及び１５３に対して、組み立て後に上下にあるように、配置されれば十分である。
【００４２】
支持体１２０が場所１５４に配置された後、プリント基板１４０は、導体トラック１３０Ａ、１３０Ｂ及び１３０Ｃ及び支持体１２０を覆う。プリント基板１４０は、中心出し手段、例えば中心出しピン１５１によってボックスに位置合わせされる。一旦、プリント基板がボックス１５０に配置されると、導体トラック１３１Ａ、１３１Ｂ、１３１Ｃ、１６１Ａ、１６１Ｂ、１６１Ｃのピン及びアンテナピン１１１は、図５で図示されているように、カード１４３の穴１４４を貫通しているピン１１１の半田１４５によって、この回路のカード１４３に半田付けされる。アンテナ支持体１２０のＤ2方向の可動性によって、穴１４４の軸をピン１１１に揃えるためにピン１１１の位置を調整することが可能となっており、それによって、組み立てと半田付けがより容易になっている。
【００４３】
アンテナ１１０とトラック１３０との間の電磁気的なカップリングを改善するために、これら二つの要素は上下になければならない。そしてそれらを隔てている間隔は出来る限り一定でなければならない。この間隔を最適化する解決策は、アンテナ支持体１２０に、プリント基板１４０を加圧する弾性手段１２１を与えることである。この実施形態では、三つの弾性突起物１２１が、アンテナ支持体１２０に沿って、アンテナ１１０の上に、アンテナ支持体１２０の上側の面１２０Ｃ上に分けて配置される。これらの突起物１２１は、プリント基板１４０のカード１４３の下側の面１４６を加圧する。そして、絶縁インターリーブ層１７０に対して、従ってトラック１３０Ｂに向かって、アンテナ支持体１２０を加圧することになる力Ｆを生み出す。アンテナ１１０は、アンテナ支持体１２０の下側の面１２０Ａからわずかに奥まった場所に置かれており、それでトラック１３０Ｂに近づいている。カップリングは、このようにして改善される。
【００４４】
アンテナ１１０は、このように、最適化された磁気的カップリングの状態で、基板１４０と導体１３０Ｂとの間に配置されて適切な位置で支持される。
【００４５】
支持体１２０及び基板１４０が上述のように所定の位置に置かれ、電気系統の接続がなされた後、ボックス１５０のカバー１５５が基板１４０まで下ろされて、ボックス１５０を閉じる。装置２００を形成する要素は、このように外界の環境、特に汚れ及び衝撃から保護される。
【００４６】
注目すべきことは、本発明は、様々な大きさで供給され得る要素１１０及び１２０の長さ、及び電子モジュールの長さを単に適合させることによって、装置２００を信号Ｓ1及びＳ2の波長にきわめて容易に適合させることができることである。変形として、支持体１２０は、異なる大きさのアンテナを収容できるように寸法設計が可能である。
【００４７】
制御装置２００は、ローラーチューブ１が動作中に回転する回転数をカウントするための機構（図示なし）をも含むことができる。
【００４８】
ボックス１５０は、種々の部品で構成することが可能であり、それらの部品は、互いに対して、配置されて組み立てられる。ボックスは、固定材１０４の一部によっても形成され得る。
【００４９】
本発明は、アンテナ１１０及び導体１３０Ａ、１３０Ｂ及び１３０Ｃを使い、金属トラックの形体で表されてきた。変形として、これらの要素は、導線の形体で表されることも可能である。
【００５０】
本発明は、主電源供給ケーブル１０５が三つの導体を構成する場合で記載されてきた。変形として、このケーブルは、ギア付きモータ１０２が単層の電流を供給される間は、二つの導体のみを構成することも可能である。この場合、二つの導体は、二つのトラック１３０Ａ及び１３０Ｂ或いは１３０Ｃに接続される。これらの二つのトラックは基板１４０に接続される。そして、電子モジュールは、受信コマンドに応じて、導体トラックをプラグ１６０Ａ、１６０Ｂ及び１６０Ｃに接続することを可能としている。
【００５１】
本発明は、ローラーブラインドを操作するための用途の場合で記載されてきた。本発明は、オーニングの操作、もっと一般的には、クロージングスクリーン、日よけスクリーン或いはプロジェクションスクリーンの操作にも応用することができる。
【図面の簡単な説明】
【００５２】
【図１】本発明に適合するチューブ状のアクチュエータの構造を示す略図である。
【図２】図1のアクチュエータの一部を構成する無線制御装置の斜視図である。
【図３】図２の装置の一部を構成するアンテナ支持材の斜視図であり、アンテナを支持した状態を示す図である。
【図４】カバーが閉じられる前の、図２の組み立てられた装置が部分的に削除された平面図である。
【図５】図４の線Ａ−Ａに沿った部分断面図である。
【符号の説明】
【００５３】
１            チューブ
２            可動スクリーン
１００        アクチュエータ
１０２        モータ
１１０        アンテナ
１２０        支持材
１２１        弾性要素
１３０Ａ      導体
１３０Ｂ      導体
１３０Ｃ      導体
１４０        プリント基板
１４６        面
１５０        ボックス
１５２        端
１５３        端
１５４        場所
１７０        シート
２００        装置
Ｄ2           距離
Ｆ            力
Ｌ154         距離
【図１】
2008202397.tif 000003
【図２】
2008202397.tif 000004
【図３】
2008202397.tif 000005
【図４】
2008202397.tif 000006
【図５】
2008202397.tif 000007